(57)【要約】【課題】消波ブロック等のブロック体をケーソン等の構造物の前方に据え付ける際に、構造物の破損を防止することができるブロック体の設置方法及びそれに使用する保護部材の提供。【解決手段】このブロック体２の設置方法は、構造物１の側面の上縁部に一又は複数の保護部材３，３…を移動可能に配置し、ブロック体２を吊り下ろす際に、ブロック体２の吊り下ろし位置に合わせて保護部材３，３を上縁部に沿って移動させることによって、ブロック体２と構造物１との接触による構造物１の破損を防止することができる。【選択図】図１
2020153096.tif 000002
【特許請求の範囲】
【請求項１】
構造物の側面の前にブロック体を吊り下ろして据え付けるブロック体の設置方法において、
前記構造物の側面の上縁部に一又は複数の保護部材を移動可能に配置し、前記ブロック体を吊り下ろす際に、前記ブロック体の吊り下ろし位置に合わせて前記保護部材を前記上縁部に沿って移動させることを特徴とするブロック体の設置方法。
【請求項２】
前記保護部材は、天板の前縁に前面板が垂下された外側保護板部と、前記外側保護板部の内側に固定された緩衝部とを備えている請求項１に記載のブロック体の設置方法。
【請求項３】
前記外側保護板部は、剛性を有する薄板材によって構成されている請求項２に記載のブロック体の設置方法。
【請求項４】
前記保護部材を移動した後、前記保護部材に一端が定着され、後方外側に傾けて延出された複数の引張部材の他端を前記構造物に定着し、前記保護部材を固定する請求項１〜３の何れか一に記載のブロック体の設置方法。
【請求項５】
前記構造物の上縁より一定距離離れた後方から前記引張部材を引っ張り、前記保護部材を前記上縁部に沿って移動させる請求項４に記載のブロック体の設置方法。
【請求項６】
前記保護部材に移動用のローラーを備えている請求項１〜５の何れか一に記載のブロック体の設置方法。
【請求項７】
構造物の側面の上縁部に移動可能に配置され、前記構造物の側面の前にブロック体を吊り下ろして据え付ける際、前記ブロック体の吊り下ろし位置に合わせて前記上縁部に沿って移動させる保護部材であって、
天板の前縁に前面板が垂下された外側保護板部と、前記外側保護板部の内側に固定された緩衝部とを備え、該緩衝部は、前記外側保護板部材の内側に固定された中間層の内側に緩衝層を重ね合わせたことを特徴とする保護部材。
【請求項８】
前記外側保護板部材は、剛性を有する薄板材によって構成され、前記中間層は非収縮性で軽量な硬質の樹脂材等によって構成され、前記緩衝層は弾性を有する軽量な樹脂材等によって構成される請求項７に記載の保護部材。
【発明の詳細な説明】
【技術分野】
【０００１】
本発明は、消波ブロック等のブロック体をケーソン等の構造物付近に設置するブロック体の設置方法及びそれに使用する保護部材に関する。
【背景技術】
【０００２】
従来、発電所等の重要施設に隣接する護岸や防波堤等では、ケーソン等からなる構造物の前面側に多数の消波ブロック等のブロック体を据え付け、構造物の前面側に消波工を設けることが知られている（例えば、特許文献１を参照）。
【０００３】
消波ブロック等のブロック体の設置は、ブロック体をクレーンで吊り上げ、ケーソンからなる構造物の前面側又は後面側の所定の位置に移動させ、その位置で吊り下ろす作業を繰り返し、各ブロック体をそれぞれ所定の位置に据え付けるようになっている。
【先行技術文献】
【特許文献】
【０００４】
【特許文献１】特開２０００−２０４５２８号公報
【発明の概要】
【発明が解決しようとする課題】
【０００５】
しかしながら、上述の如き従来の技術では、ケーソン等の構造物の前面側又は後面側に消波ブロック等のブロック体を吊り下ろす際、ブロック体が構造物の天端縁部と接触し、構造物の天端縁部が破損するおそれがあった。
【０００６】
また、ブロック体の吊り下ろし個所は、ブロック体毎に異なり、ブロック体と構造物の天端縁部との接触が懸念される個所が毎回異なることから、ブロック体の吊り下ろし位置が移動する度にブロック体と構造物との接触に注意する必要があった。
【０００７】
一方、消波ブロック等のブロック体は、広域に亘ってケーソン等の構造物の前面側又は後面側に設置されるため、接触による構造物の天端縁部の破損警戒個所も広域に亘り、その全域を保護することは困難であった。
【０００８】
さらに、ブロック体を吊り下ろす際には、安全管理上の観点から吊り下ろされるブロック体に作業員が接近することを回避する必要があり、作業員による誘導等を行うことが困難であった。
【０００９】
そこで、本発明は、このような従来の問題に鑑み、消波ブロック等のブロック体をケーソン等の構造物の前方に据え付ける際に、構造物の破損を防止することができるブロック体の設置方法及びそれに使用する保護部材の提供を目的としてなされたものである。
【課題を解決するための手段】
【００１０】
上述の如き従来の問題を解決するための請求項1に記載の発明の特徴は、構造物の側面の前にブロック体を吊り下ろして据え付けるブロック体の設置方法において、前記構造物の側面の上縁部に一又は複数の保護部材を移動可能に配置し、前記ブロック体を吊り下ろす際に、前記ブロック体の吊り下ろし位置に合わせて前記保護部材を前記上縁部に沿って移動させることにある。
【００１１】
請求項２に記載の発明の特徴は、請求項１の構成に加え、前記保護部材は、天板の前縁に前面板が垂下された外側保護板部と、前記外側保護板部の内側に固定された緩衝部とを備えていることにある。
【００１２】
請求項３に記載の発明の特徴は、請求項１又は２の構成に加え、前記外側保護板部は、剛性を有する薄板材によって構成されている請求項２に記載のブロック体の設置方法。
【００１３】
請求項４に記載の発明の特徴は、請求項１〜３の何れか一の構成に加え、前記保護部材を移動した後、前記保護部材に一端が定着され、後方外側に傾けて延出された複数の引張部材の他端を前記構造物に定着し、前記保護部材を固定することにある。
【００１４】
請求項５に記載の発明の特徴は、請求項４の構成に加え、前記構造物の上縁より一定距離離れた後方から前記引張部材を引っ張り、前記保護部材を前記上縁部に沿って移動させることにある。
【００１５】
請求項６に記載の発明の特徴は、請求項１〜５の何れか一の構成に加え、前記保護部材に移動用のローラーを備えていることにある。
【００１６】
請求項７に記載の発明の特徴は、構造物の側面の上縁部に移動可能に配置され、前記構造物の側面の前にブロック体を吊り下ろして据え付ける際、前記ブロック体の吊り下ろし位置に合わせて前記上縁部に沿って移動させる保護部材であって、天板の前縁に前面板が垂下された外側保護板部と、前記外側保護板部の内側に固定された緩衝部とを備え、該緩衝部は、前記外側保護板部材の内側に固定された中間層の内側に緩衝層を重ね合わせたことにある。
【００１７】
請求項８に記載の発明の特徴は、請求項７の構成に加え、前記外側保護板部材は、剛性を有する薄板材によって構成され、前記中間層は非収縮性で軽量な硬質の樹脂材等によって構成され、前記緩衝層は弾性を有する軽量な樹脂材等によって構成されることにある。
【発明の効果】
【００１８】
本発明に係るブロック体の設置方法は、請求項１に記載の構成を具備することによって、広域に亘るケーソン等の構造物に対し、保護部材を容易且つ迅速に移動させることができるので、消波ブロック等のブロック体をケーソン等の構造物の側面の前に設置する際に、ブロック体と構造物との接触による構造物の破損を簡便且つ効率的に防止することができる。
【００１９】
また、本発明において、請求項２に記載の構成を具備することによって、構造物の上縁部の上面及び前面を保護することができるとともに、接触した際の衝撃を吸収することができる。
【００２０】
さらに、本発明において、請求項３に記載の構成を具備することによって、ブロック体が接触した際の衝撃を外側保護板部の接触面全体に分散して緩衝部に伝達することができ、応力の集中を防止することができる。
【００２１】
また、本発明において、請求項４に記載の構成を具備することによって、保護部材の落下を防止することができるとともに、作業員がブロック体に近づかずに保護部材の定着作業を行うことができる。
【００２２】
さらに、本発明において、請求項５に記載の構成を具備することによって、作業員がブロック体に近づくことなく、安全且つ容易に保護部材の移動を行うことができる。
【００２３】
また、本発明において、請求項６に記載の構成を具備することによって、保護部材の移動を円滑に行うことができる。
【００２４】
また、本発明に係る保護部材は、請求項７に記載の構成を具備することによって、構造物の上縁部の上面及び前面に跨って好適に設置することができ、接触した際の衝撃を吸収することができる。
【００２５】
さらに、本発明において、請求項８に記載の構成を具備することによって、ブロック体が接触した際の衝撃を外側保護板部の接触面全体に分散して緩衝部に伝達することができ、応力の集中を防止することができる。
【図面の簡単な説明】
【００２６】
【図１】本発明に係るブロック体の設置方法の実施態様を示す縦断面図である。
【図２】同上の平面図である。
【図３】（ａ）は図１中の保護部材を示す側面図、（ｂ）は同背面図である。
【図４】同上の保護部材の移動作業の状態を示す平面図である。
【発明を実施するための形態】
【００２７】
次に、本発明に係るブロック体の設置方法の実施態様を図１〜図４に示した実施例に基づいて説明する。
【００２８】
本実施例は、ケーソン等の構造物の前面側に複数の消波ブロック等のブロック体を設置する場合を例に説明し、図中符号１は、ケーソン等の構造物、符号２は消波ブロック等のブロック体である。
【００２９】
ブロック体２は、クレーンで吊り上げ、ケーソン等の構造物１の前面側の所定の位置に移動させた後、その位置で吊り下ろす作業をブロック体毎に繰り返し、各ブロック体２をそれぞれ所定の位置に据え付けるようになっている。
【００３０】
その際、構造物１の側面の上縁部に一又は複数の保護部材３，３…を移動可能に配置し、ブロック体２を吊り下ろす際に、ブロック体２の吊り下ろし位置、具体的には、ブロック体２の脚部２ａに合わせて保護部材３，３…を上縁部に沿って移動させ、ブロック体２とケーソン等の構造物１との接触による破損を防止するようになっている。
【００３１】
保護部材３は、図３に示すように、外面を覆う外側保護板部４と、外側保護板部４の内側に固定された緩衝部５とを備え、側面視逆Ｌ字状を成している。尚、この保護部材３，３…は、人力によって運搬可能な外形及び重量となっている。
【００３２】
外側保護板部４は、鉄板や鋼板等の剛性を有する薄板材によって構成され、矩形平板状の天板部４ａと、天板部４ａの前縁より垂下された前板部４ｂとを備えている。
【００３３】
天板部４ａの上面には、門型状の取っ手兼用フック６，６が幅方向に間隔をおいて突設され、ロープ等の綱状部材によって構成された引張部材７ａ，７ｂの一端が固定されている。
【００３４】
緩衝部５は、外側保護板部４の裏面側に重ね合わされた中間層８と、中間層８の内側に重ね合わされた緩衝層９とを備え、中間層８と緩衝層９との二層構造となっている。
【００３５】
中間層８は、非収縮性で軽量な硬質の樹脂材等によって構成され、外側保護板部４の天板部４ａの裏面に固定される天板部８ａと、外側保護板部４の前板部４ｂの裏面に固定される前板部８ｂとを備え、外側保護板部４の形状に合わせて一定の厚みを有する側面視逆Ｌ字状を成している。尚、この中間層８には、例えば、一般の建築資材に使用される断熱材を転用することができる。
【００３６】
緩衝層９は、弾性を有する軽量な樹脂材やゴム材等によって構成され、中間層８の天板部８ａの裏面に固定される天板部９ａと、中間層８の前板部８ｂの裏面に固定される前板部９ｂとを備え、中間層８の形状に合わせて一定の厚みを有する側面視逆Ｌ字状を成している。尚、この緩衝層９には、例えば、スポンジ材、ゴム材等の弾性を有する材料を使用する。
【００３７】
この外側保護板部４と中間層８、中間層８と緩衝層９とは、それぞれ接着剤又は両面テープによって固定され、容易に剥がして交換することもできるようになっている。
【００３８】
次に、この保護部材３，３…を使用したブロック体２の設置方法の具体的な手順を説明する。
【００３９】
先ず、図１に示すように、各保護部材３，３…を構造物１の上縁部前面に緩衝層９を当接させた状態で天板部４ａを構造物１の上縁部上面に載置し、構造物１の上縁部を部分的に覆う。
【００４０】
次に、クレーンで吊り上げたブロック体２を、ケーソン等の構造物１の前面側の所定の位置に移動させる。
【００４１】
一方、消波ブロック等のブロック体２の吊り下ろし位置に合わせて各保護部材３，３…を構造物１の上縁部に沿って移動させる。
【００４２】
その際、両引張部材７ａ，７ｂの他端が構造物１に設置されたフック又は錘等の定着体１０に定着されている場合には、定着体１０から取り外し、図４に示すように、他方側の引張部材７ｂを緩めつつ、移動方向側の引張部材７ａを構造物１の前縁部より一定距離離れた後方から移動方向に引っ張ることによって保護部材３，３…を構造物１の上縁に沿って移動させる。
【００４３】
よって、作業員がクレーンによって吊り持ちされたブロック体２に近づくことなく、保護部材３，３…を構造物１の上縁部に沿って移動させることができる。
【００４４】
そして、各保護部材３，３…をブロック体２の吊り位置に合わせて移動させた後、図１、図２に示すように、保護部材３，３…の取っ手兼用フック６，６に一端を接続した両引張部材７ａ，７ｂをそれぞれ外側後方に傾けて延出し、その他端を構造物１に設置されたフックや錘等の定着体１０に括り付けて定着し、保護部材３，３…を固定する。
【００４５】
このように後方外側に傾けて延出された複数の引張部材７ａ，７ｂの他端を構造物１に固定することによって、保護部材３，３…の落下を防止することができる。
【００４６】
次に、各保護部材３，３…で構造物１の上縁を保護した状態でクレーンによってブロック体２を吊り下ろし、ブロック体２を水底地盤又はブロック体２の上に据え付ける。
【００４７】
その際、吊り下ろし作業中に万が一にブロック体２が構造物１の上縁部に近接したとしても、ブロック体２の吊り下ろし位置に合わせて保護部材３，３…が配置されているので、ブロック体２は、保護部材３，３…の外側に配置された外側保護板部４と接触する。
【００４８】
その場合、外側保護板部４は、鉄板等の剛性を有する薄板材によって構成されているので、ブロック体２が保護部材３，３…と接触することによる衝撃は、外側保護板部４全体に分散されるとともに、中間層８を介して緩衝層９に伝達され、緩衝層９が弾性変形することによって吸収される。
【００４９】
このように、各ブロック体２について、クレーンによってブロック体２を吊り上げて所定の位置に移動する作業、そのブロック体２の吊り下ろし位置に合わせて各保護部材３，３…を移動させて固定する作業、ブロック体２を吊り下ろす作業、両引張部材７ａ，７ｂの他端を構造物１に設置されたフック又は錘等の定着体１０から取り外す作業を順次繰り返し、各ブロック体２を所定の位置に据え付ける。
【００５０】
又、ブロック体２の吊り下りし時の保護対象範囲が保護部材３，３…の幅よりも広いと予想される際には、複数の保護部材３，３…を構造物１の天端に並列して設置することで対応することができる。
【００５１】
尚、上述の実施例では、引張部材７ａ，７ｂをロープ等の綱状部材を使用した例について説明したが、引張部材７ａ，７ｂは、鋼棒等の細棒等を用いてもよい。
【００５２】
また、保護部材３，３…の態様は、上述の実施例に限定されず、例えば、保護部材３，３…の内側に移動用のローラーを設けてもよく、緩衝層９の裏側に摩擦係数の小さい金属等からなる薄板を重ね合わせてもよい。
【００５３】
さらに、ブロック体２の態様は、上述の消波ブロックの態様に限定されず、例えば、消波ブロック以外のブロック体であってもよく、直方体状やその他の形状のブロック体であってもよい。
【符号の説明】
【００５４】
１  構造物（ケーソン）
２  ブロック体
３  保護部材
４  外側保護板部
５  緩衝部
６  取っ手兼用フック
７ａ，７ｂ  引張部材
８  中間層
９  緩衝層
１０  定着体
【図１】
2020153096.tif 000003
【図２】
2020153096.tif 000004
【図３】
2020153096.tif 000005
【図４】
2020153096.tif 000006